(57)【要約】【課題】  壁材パネルに掛止させて持ち上げることのできる持ち上げ治具を提供し、作業者の人力で、壁材パネルを施工位置まで安全かつ容易に運ぶことができるようにする。【解決手段】  左右一対の治具本体１０，１０は、グリップ１１の先端に延設された支持部１２と、この支持部１２の先端に直角に接合されたレバー１３と、このレバー１３に外装されてレバー１３の軸方向に摺動自在とされたパイプ状の摺動部１４とを備える。摺動部１４には、溝形鋼２１に挿脱可能で、かつ溝内で回転させて溝内壁２１１に掛止可能な掛止部１５が添設されている。そして、壁材パネル２に対して左右対称に治具本体１０，１０を配置し、レバー１３を傾けて掛止部１５を溝形鋼２１の溝に対して縦向きに挿入させたのち、掛止部１５を溝内で回転させて溝形鋼２１に掛止させることでグリップ１１を握持して壁材パネル２を持ち上げることができる。【選択図】  図２
2005200947.tif 000002
【特許請求の範囲】
【請求項１】
背面に断面略Ｃ字状のリップ溝形鋼が所定間隔で備えられた壁材パネルを持ち上げる持ち上げ治具であって、壁材パネルの両側部から挟んで左右一対とされた治具本体からなり、
各治具本体は、グリップの先端に延設された支持部と、この支持部の先端に直角に接合されたレバーと、このレバーに外装されてレバーの軸方向に摺動自在とされたパイプ状の摺動部とを備え、
レバーは、摺動部の抜けを防止する抜け止め部材を備えるとともに、支持部との接合部近傍に、前記摺動部を支持部方向に引き寄せた状態で嵌合して軸回りの回動を抑止する回止め部を有し、
摺動部の先端部には、前記溝形鋼の溝に係脱可能で、かつ溝内で回転させることにより溝内壁に掛止可能に形成された掛止部が、前記レバーの軸方向に対して適宜の角度で添設され、
一対の治具本体を壁材パネルに対して左右対称に配置して、各レバーを壁材パネルの左右両側部から背面に添え、レバーを傾けて掛止部を各溝形鋼の溝に対して縦向きに挿入させたのち、掛止部を溝内で回転させて溝形鋼に掛止させることによりグリップを握持して、壁材パネルを持ち上げ可能とされたことを特徴とする壁材パネルの持ち上げ治具。
【請求項２】
治具本体の掛止部は、壁材パネルの溝形鋼の溝幅以上の長さを有するとともに、溝形鋼のリップ間の開口幅よりも狭い幅を有するブロック形状に形成されたことを特徴とする請求項１に記載の壁材パネルの持ち上げ治具。
【請求項３】
治具本体の掛止部は、両端面が鋸歯状に形成されたことを特徴とする請求項１または２に記載の壁材パネルの持ち上げ治具。
【発明の詳細な説明】
【技術分野】
【０００１】
本発明は、背面に断面略Ｃ字状のリップ溝形鋼が所定間隔で備えられた壁材パネルを人力で持ち上げるための持ち上げ治具に関する。
【背景技術】
【０００２】
一般に壁材パネルは大きさ、重量ともに大きいため、通常はクレーン等の吊上装置によって吊り上げて施工位置まで移送している。吊上装置によって壁材パネルを移送する場合、例えば特許文献１、２に開示されたような吊上装置の引掛部材と壁材パネルとを連結するための吊掛具が使用されている。
【０００３】
この種の吊掛具は、壁材パネルの背面に埋設された２本のリップ溝形鋼を利用して壁材パネルを吊り上げるものであり、溝形鋼同士の間隔よりも長い長さを有する吊掛具本体を両溝形鋼にまたがって配設し、この吊掛具本体と溝形鋼との間に係止装置を介在させて、係止装置をリップ片に引っ掛けることによって吊り上げる構成となっている。
【特許文献１】実公平４−１１８１号公報
【特許文献２】実開昭６３−１９０２８０号公報
【発明の開示】
【発明が解決しようとする課題】
【０００４】
前記従来の吊掛具によるとき、壁材パネルは水平状態で吊り上げて移送される。しかし、建物の軸組に対しては壁材パネルを立てた状態で建て込むので、吊掛具から壁材パネルを引き下ろし、作業者自身で壁材パネルを建て込み位置まで運ばなければならない。このように壁材パネルを立てた状態で運ぶための適当な装置はなく、複数人の作業者で運ばなければならなかった。また、壁材パネルには手を引っ掛けるところがないため、手を滑らせるおそれもあり、壁材パネルを建て込み位置に配設する際には、取り付ける軸組と壁材パネルとの間や、隣り合う壁材パネルとの間に手を挟んでけがをする危険性もあり、かかる壁材パネルを安全に運ぶことのできる治具が要望されていた。
【０００５】
本発明は、上記のような事情にかんがみてなされたものであり、壁材パネルに掛止させて持ち上げることのできる持ち上げ治具を提供し、作業者の人力で、壁材パネルを施工位置まで安全かつ容易に運ぶことができるようにすることを目的としている。
【課題を解決するための手段】
【０００６】
前記の課題を解決するため、本発明は、背面に断面略Ｃ字状のリップ溝形鋼が所定間隔で備えられた壁材パネルを持ち上げる持ち上げ治具であって、壁材パネルの両側部から挟んで左右一対とされた治具本体からなる。各治具本体は、グリップの先端に延設された支持部と、この支持部の先端に直角に接合されたレバーと、このレバーに外装されてレバーの軸方向に摺動自在とされたパイプ状の摺動部とを備える。レバーは、摺動部の抜けを防止する抜け止め部材を備えるとともに、支持部との接合部近傍に、前記摺動部を支持部方向に引き寄せた状態で嵌合して軸回りの回動を抑止する回止め部を有し、摺動部の先端部には、前記溝形鋼の溝に係脱可能で、かつ溝内で回転させることにより溝内壁に掛止可能に形成された掛止部が、前記レバーの軸方向に対して適宜の角度で添設される。そして、一対の治具本体を壁材パネルに対して左右対称に配置して、各レバーを壁材パネルの左右両側部から背面に添え、レバーを傾けて掛止部を各溝形鋼の溝に対して縦向きに挿入させたのち、掛止部を溝内で回転させて溝形鋼に掛止させることによりグリップを握持して、壁材パネルを持ち上げ可能とされたことを特徴とする。
【０００７】
この発明により、壁材パネルの溝形鋼に掛止部が掛止されることで摺動部が溝形鋼に固定され、グリップを握持して壁材パネルを持ち上げることができるようになる。作業者は治具本体を壁材パネルの溝形鋼に掛止させて、固定するだけの操作で壁材パネルを容易に持ち上げることができ、施工位置まで安全に運ぶことができる。
【０００８】
また、前記構成の持ち上げ治具において、治具本体の掛止部は、壁材パネルの溝形鋼の溝幅以上の長さを有するとともに、溝形鋼のリップ間の開口幅よりも狭い幅を有するブロック形状に形成されたことを特徴とする。
【０００９】
これにより、掛止部は、壁材パネルの溝形鋼の開口からの挿入が許容され、溝内で回転させることによってリップに係止されるとともに、溝内壁に掛止して溝形鋼に固定可能とされて、壁材パネルの溝形鋼に係脱自在なものとすることができる。
【００１０】
さらに、前記構成の持ち上げ治具において、治具本体の掛止部は、両端面が鋸歯状に形成されていることが望ましい。これにより、掛止部の両端面が壁材パネルの溝形鋼の溝内壁に対して強固に掛止され、治具本体を壁材パネルに確実に固定することができる。
【発明の効果】
【００１１】
本発明に係る持ち上げ治具は、治具本体の掛止部が壁材パネルの溝形鋼に係脱可能に形成されているので、この掛止部を溝形鋼に掛止させる操作だけで、治具本体を壁材パネルに固定することができ、グリップを握持して容易に壁材パネルを持ち上げることが可能となる。したがって、作業者一人でも施工位置まで安全に壁材パネルを運ぶことができ、建て込み作業をスムーズに進めることができる。
【発明を実施するための最良の形態】
【００１２】
以下、本発明に係る壁材パネルの持ち上げ治具を実施するための最良の形態について、図面を参照しつつ説明する。図１および図２は本発明に係る持ち上げ治具の一実施例を示し、図１は持ち上げ治具を示す斜視図、図２、図３は持ち上げ治具が壁材パネルに掛止された状態を示す斜視図である。
【００１３】
例示の形態において、持ち上げ治具１を使用して運ぶ壁材パネル２は、幅方向に対して高さ方向が比較的大きいパネル材であって、背面には溝形鋼２１が両側部寄りに互いに平行に埋設され、柱材等の架構部材に取り付け可能に形成されている。溝形鋼２１は、壁材パネル２の背面に現れている開口の両縁部にリップ２２，２２を有する断面略Ｃ字状のリップ溝形鋼である。
【００１４】
例示した持ち上げ治具１は、壁材パネル２に対して左右対称に配置される一対の治具本体１０から構成されている。
【００１５】
治具本体１０は、グリップ１１の先端から延設された支持部１２と、この支持部１２に直角に接合されたレバー１３を備え、グリップ１１および支持部１２に対してレバー１３が略Ｌ字状をなすように形成されている。
【００１６】
支持部１２は、平板状に形成されており、特に例示の形態では、支持部１２の厚さが隣接する壁材パネル２同士の目地部分の幅よりも小さくなるように、数ｍｍ程度で形成されている。これにより、壁材パネル２を他の壁材パネルに隣接させた状態でも、壁材パネル２の側部において支持部１２を上下方向に動かして治具本体１０を操作できるように構成されている。
【００１７】
レバー１３は、丸鋼材からなり、支持部１２の先端面に接合されている。このレバー１３には、パイプ状の摺動部１４が外装されている。したがって、摺動部１４は、レバー１３の軸方向（図１における矢符Ａ方向）に摺動自在とされるとともに、レバー１３の軸回りに回動可能とされている。
【００１８】
レバー１３には、かかる摺動部１４がレバー１３から抜けるのを防止するために、先端部に抜け止め部材１３１が設けられている。抜け止め部材１３１は、レバー１３の外径よりも大きい径を有する円板状に形成されている。また、レバー１３には、支持部１２との接合部近傍に回止め部１３２が突設されている。この回止め部１３２は、摺動部１４の一端に形成されている切欠部１４１に嵌合し、摺動部１４を支持部１２方向に引き寄せたときに摺動部１４の軸回りの回動を抑止して固定しうるように構成されている。
【００１９】
摺動部１４の他端近傍には、掛止部１５が、レバー１３の軸方向に対して約４５°の角度で添設されている。この掛止部１５は、溝形鋼２１の溝に挿脱可能で、かつ溝内で回転させることにより溝内壁２１１に掛止可能に形成されている。すなわち掛止部１５は、その幅Ａがリップ間の開口幅ａよりも小さく、また長手方向の最大幅Ｂが溝形鋼２１の溝幅ｂ以上の長さを有するブロック形状に形成されている。
【００２０】
例示の形態では、掛止部１５は、平行に位置する表裏二側面が平行四辺形とされた略直方体状であり、短辺側の両端面は鋸歯状に形成されている。これにより、グリップ１１を軸にしてレバー１３を水平状態から４５°上方へ回動させると、掛止部１５の長手方向が縦向きになる。
【００２１】
このように構成されている持ち上げ治具１によって壁材パネル２を持ち上げる際には、治具本体１０，１０を壁材パネル２に対して左右対称に配置して使用する。各治具本体１０の支持部１２は壁材パネル２の左右の側部に添わせ、レバー１３を壁材パネル２の背面に添える。このとき、摺動部１４がレバー１３の先端方向に配置されていると操作がしやすく好ましい。
【００２２】
次に、図３に示すように、レバー１３が斜め４５°方向に傾くように、グリップ１１を軸に回転させて掛止部１５を縦向きにし、壁材パネル２の溝形鋼２１の溝に挿入する。続いて、掛止部１５を支点にしてグリップ１１を持ち上げ、レバー１３を水平状態にすると、掛止部１５が溝内で回転して、掛止部１５の長手方向の両端面が溝形鋼２１の溝内壁２１１に掛止する。これにより、図２に示すように、摺動部１４が壁材パネル２の溝形鋼２１に固定される。
【００２３】
次に、グリップ１１側から摺動部１４内にレバー１３を押し込み、摺動部１４の切欠部１４１とレバー１３の回止め部１３２とを嵌合させる。すると、支持部１２と摺動部１４とが略Ｌ字状をなすように固定されて、この間に壁材パネル２が挟み込まれる。これにより、作業者は、左右のグリップ１１を握持して壁材パネル２を持ち上げることが可能となる。また、治具本体１０，１０を壁材パネル２から取り外すときは、再度レバー１３を４５°傾けて摺動部１４からグリップ１１側に抜き出しつつ、掛止部１５を縦向きにし、溝形鋼２１の溝から抜き取ることで、容易に取り外すことができる。
【００２４】
したがって、支持部１２の長さを壁材パネル２の厚みに合わせて形成し、摺動部１４の一端から掛止部１５までの距離Ｔを、壁材パネル２の側部から溝形鋼２１までの距離ｔに合わせて形成しておくことで、治具本体１０が壁材パネル２の側面および背面に納まりよく固定されて持ち上げやすくすることができる。また、レバー１３の長さは掛止部１５の添設された角度に応じて、掛止部１５を縦向きにするのに要する、掛止部１５の固定位置から壁材パネル２の側部までの距離を考慮して決定されることが好ましい。なお、かかる掛止部１５とレバー１３の軸方向との添設角度は、前記４５°に限定されず適宜の角度を選択することができる。
【００２５】
以上のように構成されることで、本発明に係る持ち上げ治具１は、作業者一人でも容易に壁材パネル２を持ち上げて、施工位置まで安全に運ぶことが可能となり、壁材パネル２の建て込み作業をスムーズに進めることができるようになる。
【産業上の利用可能性】
【００２６】
本発明に係る持ち上げ治具は、幅方向に対して高さ方向が比較的大きく、かつ背面の長手方向両端付近に断面略Ｃ字状のいわゆるリップ溝形鋼が備えられた壁材パネルを、作業者が安全かつ容易に所定位置まで運び、架構部材に据え付けるのに好適に利用することができる。
【図面の簡単な説明】
【００２７】
【図１】本発明に係る持ち上げ治具を示す斜視図である。
【図２】前記持ち上げ治具を反対方向から見た斜視図である。
【図３】前記持ち上げ治具を壁材パネルに掛止させる状態を示す斜視図である。
【符号の説明】
【００２８】
１    持ち上げ治具
１０  治具本体
１１  グリップ
１２  支持部
１３  レバー
１３１  抜け止め部
１３２  回止め部
１４  摺動部
１４１  切欠部
１５  掛止部
２    壁材パネル
２１  溝形鋼
２１１  溝内壁
２２  リップ
【図１】
2005200947.tif 000003
【図２】
2005200947.tif 000004
【図３】
2005200947.tif 000005